(57)【要約】【課題】本考案は、スプリング・リーフ、メモリーカードの挿入を用意する開放端を持つカートリッジに構成されるメモリーカード・コネクタである。【解決手段】本考案は、スプリング・リーフ、メモリーカードの挿入を用意する開放端を持つカートリッジに構成されて、メモリーカードをコンピュータに接続するカートリッジ式コネクタ構造であり、カートリッジの上下両側にはそれぞれ一列の連通溝が設けられており、その相対位置はメモリーカード上の端子に対応し、端子の嵌め込みを用意し、当面のメモリーカードの規格に適用だけではなく、将来の両面セパレートのメモリーカードにも対応し、コネクタとメモリーカードとの接続の安定性を増強できる。【選択図】　図１
0003097441.tif 000002
【実用新案登録請求の範囲】
【請求項１】
情報伝達端子と、メモリーカードとを表裏面に配した基版と、この基版を挿入するカートリッジは、コンピュータ接続用のスプリング・リーフを備えたコネクタの構造として形成され、そのコネクタを構成するカートリッジは、一方側を開口とし、左右両側、並に、奥行き側の三方に囲壁を配した四辺形の立方体型のケースとして構成し、
該ケースの奥行き側に配した囲壁の上辺側と下辺側には、それぞれ上辺側と下辺側に沿って、前記基版に設けた情報伝達端子の配置位置に合致する位置にスプリング・リーフを挿入する連通溝を配列し、奥行き側に配した囲壁の上辺側に配列した連通溝には、一方端を内側に折り返して接触端を形成し、他方端は、先端をハンダ端としての突出端とした長い段差を設けた鈎形に折り曲げて形成したスプリング・リーフを前記連通溝に、ハンダ端が突出端となるように挿入し、
奥行き側に配した囲壁の下辺側に配列した連通溝には、一方端を外側に折り返して接触端を形成し、他方端は、先端をハンダ端としての突出端とした短い段差を設けた鈎形に折り曲げて形成したスプリング・リーフを前記挿入溝にハンダ端が突出端となるように挿入したことを特徴とするメモリーカード・コネクタ。
【請求項２】
上記請求項１に記載のメモリーカード・コネクタにおいて、前記連通溝にスプリング・リーフとなる材料を、射出形成によって形成し、かつカートリッジと一体成型するメモリーカード・コネクタ。
【請求項３】
上記請求項１に記載のメモリーカード・コネクタにおいて、一方側に開口を設けているメモリーカード・コネクタ。
【考案の詳細な説明】
【０００１】
【考案の属する技術分野】
本考案は、一種のメモリーカードとコンピュータ接続用のコネクタ構造であり、このメモリーカード・コネクタは、当面のメモリーカード規格に適用だけではなく、将来の両面セパレートのメモリーカードにも対応し、コネクタとメモリーカードの接続の安定性を増強できる。
【０００２】
【従来の技術】
メモリーカードは新たなメモリメディアの商品で、その体積は軽薄短小であり、高い交換性、低コスト、高記憶容量、高伝送速度および高保全性などを特徴とする。また、開放的な枠組みで、携帯電話、ＰＤＡ、コンピュータおよび各種マルチメディアのデータ保存、伝送などに適している。
メモリーカードの機能は日々進化しており、コンピュータと接続の信号伝送で導通チップでは、明らかに応用できなくなっている。また、メモリーカードは小体積化し、その外形規格もすでに市場で流通しており、仮に導通チップの設置空間を増加しよう場合、導通チップ面積は縮小し、その信号伝送の安定性を低下させることがありえる。等面積の導通チップを設計するこそ、導通チップの数量を増加し、日々進化しているメモリーカードとコンピュータとの接続タスクに対応できる。
このため、一種のカードの両面に端子のあるメモリーカードを考案し、両面セパレートのスプリング・リーフを用い、導通チップの数を増加させ、日々進化するメモリーカードに対応させ、同時に異なる導通チップとコンピュータとの情報伝導を通じてメモリーカードの機能向上を図っている。
【０００３】
【考案が解決しようとする課題】
このため、本考案は上述のメモリーカードとコンピュータとの接続のメモリーカードコネクタであり、特に情報伝達端子とメモリーカードを備えた基版とコンピュータ接続用のコネクタの構造である。それはカートリッジ式であり，そのコネクタの一端を開放端とし、情報伝達端子とメモリーカードを備えた基版を挿入できる。コネクタに下の両側にスプリング・リーフが設けられており、メモリーカードの端子位置に対応している。このメモリーカード・コネクタは、当面規格のメモリーカードに適用だけではなくて、将来の両面セパレートのメモリーカードでも使用できる。
本考案はメモリーカード・コネクタであり、二面のスプリング・リーフを通じて同時にメモリーカードを挟め、メモリーカードを差し込んだ後、コネクタとメモリーカードとの接続の安定性を強化できる。
本考案には、両列スプリング・リーフを利用しメモリーカードを挟むことによって、比較的良好なバインダー力を得ることができ、当然その信号伝導も良好で安定である。
【０００４】
【課題を解決するための手段】
情報伝達端子と、メモリーカードとを表裏面に配した基版と、この基版を挿入するカートリッジは、コンピュータ接続用のスプリング・リーフを備えたコネクタの構造として形成され、そのコネクタを構成するカートリッジは、一方側を開口とし、左右両側、並に、奥行き側の三方に囲壁を配した四辺形の立方体型のケースとして構成し、
該ケースの奥行き側に配した囲壁の上辺側と下辺側には、それぞれ上辺側と下辺側に沿って、前記基版に設けた情報伝達端子の配置位置に合致する位置にスプリング・リーフを挿入する連通溝を配列し、奥行き側に配した囲壁の上辺側に配列した連通溝には、一方端を内側に折り返して接触端を形成し、他方端は、先端をハンダ端としての突出端とした長い段差を設けた鈎形に折り曲げて形成したスプリング・リーフを前記連通溝に、ハンダ端が突出端となるように挿入し、
奥行き側に配した囲壁の下辺側に配列した連通溝には、一方端を外側に折り返して接触端を形成し、他方端は、先端をハンダ端としての突出端とした短い段差を設けた鈎形に折り曲げて形成したスプリング・リーフを前記挿入溝にハンダ端が突出端となるように挿入したメモリーカード・コネクタ、及び、メモリーカード・コネクタにおいて、前記連通溝にスプリング・リーフとなる材料を、射出形成によって形成し、かつカートリッジと一体成型するメモリーカード・コネクタ、及び、メモリーカード・コネクタにおいて、一方側に開口を設けているメモリーカード・コネクタ。
【０００５】
【考案の実施の形態】
本考案のほかの目的と詳細は、以下の説明で、より明確となり、同時に、付属各図を参照すれば、本考案の技術内容が、更に理解できる。
図１と図２の示すように、本考案は、情報伝達端子１１と、メモリーカード１０とを表裏面に配した基版１２と、この基版１２を挿入するカートリッジは、コンピュータ接続用のスプリング・リーフを備えたコネクタ２０の構造を備えている。そのコネクタ２０の構造から成るカートリッジは、上記基版１２を挿入する開口２３とスプリング・リーフ２２Ａ、２２Ｂを配して構成される。コネクタ２０構造から成るカートリッジ２１の一端には、上記基版１２を挿入できる開口２３を設けて成る函体として構成されている。
コネクタ２０構造から成るカートリッジ２１は、一方側を開口２３とし、左右両側、並に、奥行き側の三方に囲壁２７Ａ、２７Ｂ、２７Ｃを配した四辺形の立方体型のケースとして構成した。
該ケースの奥行き側に配した囲壁２７Ｃの上辺側と下辺側には、それぞれ上辺側と下辺側に沿って、前記基版に設けた情報伝達端子１１の配置位置に合致する位置にスプリング・リーフ２２Ａ、２２Ｂを挿入する連通溝２４Ａ、２４Ｂを配列し、該挿入溝２４Ａ、２４Ｂに挿入するスプリング・リーフ２２Ａ、２２Ｂは、次のように構成される。
即ち、奥行き側に配した囲壁２７Ｃの上辺側に配列した連通溝２４Ａに挿入するスプリング・リーフ２２Ａの構成は、一方端を内側に折り返して接触端２５Ａを形成し、他方端は、先端をハンダ端２６Ａとしての突出端とした長い段差を設けた鈎形に折り曲げて形成し、これを前記連通溝孔２４Ａに、ハンダ端２６Ａが突出端となるように挿入する。
奥行き側に配した囲壁２１Ｃの下辺側に配列した連通溝孔２４Ｂに挿入するスプリング・リーフ２２Ｂの構成は、一方端を外側に折り返して接触端２５Ｂを形成し、他方端は、先端をハンダ端としての突出端２６Ｂとした短い段差を設けた鈎形に折り曲げて形成する。これらのスプリング・リーフ２２Ａ、２２Ｂを前記挿入溝２４Ａ、２４Ｂにハンダ端２６Ａ、２６Ｂが突出端となるように挿入する。
図３および図４の示すように、スプリング・リーフ２２Ａ、２２Ｂは良好なスプリング性が備わっており、両相対の接触端２５Ａ、２５Ｂの間にメモリーカード１０、情報伝達端子１１を配した基版１２の厚さがあることから、メモリーカード１０、情報伝達端子１１を配した基版１２を本考案にかかるカートリッジ２１に挿入する際、メモリーカード１０、情報伝達端子１１を配した基版１２は接触端２５Ａ、２５Ｂを外側に開き、両列の接触端２５Ａ、２５Ｂがメモリーカード１０に対しバインダー力を発生し、基版１２に配されたメモリーカード１０の端子１１のバインダー力を挟み込み、ほかに、メモリーカード１０のデジタル信号を伝導する。
上述のスプリング・リーフ２２Ａ、２２Ｂとカートリッジ２１との接続は、必ずしも連通溝２４Ａ、２４Ｂの使用を限られず、勿論、射出金型の使用も可能である。例えば、スプリング・リーフ２２Ａ、２２Ｂの材料を穴に置き、埋め込み式射出の方式でカートリッジ２１と一体射出成型を行なうことも可能である。
本考案はスプリング・リーフ２２Ａ、２２Ｂ設置の間隔と相対位置を従来のポジションに照合できる。このため、現在汎用されている単面セパレートのメモリーカードは同様に対応でき、また、新規格の両面セパレートのメモリーカードにも同様に対応でき、本考案は新旧規格に適応できる。
【０００６】
【実施例】
図３および図４の示すように、スプリング・リーフ２２Ａ、２２Ｂは良好なスプリング性が備わっており、両相対の接触端２５Ａ、２５Ｂの間にメモリーカード１０の厚さがあることから、メモリーカード１０を本考案に挿入する際、メモリーカード１０は接触端２５Ａ、２５Ｂを外側に開き、両列の接触端２５がメモリーカード１０に対しバインダー力を発生し、メモリーカード１０の端子１１のバインダー力を挟み込み、ほかに、メモリーカード１０のデジタル信号を伝導する。
【０００７】
【考案の効果】
以上のように、本考案は簡易な機構設計を利用し、当面のメモリーカード規格に対応だけではなく、将来の両面セパレートメモリーカードの使用にも適応するものであり、またコネクタとメモリーカードとの接続の安定性を増強し、さらに進歩性を備え、実用新案の登録にも合致している。ここに法に従い実用新案の登録を申請するものである。
【図面の簡単な説明】
【図１】本考案の立体図である。
【図２】本考案の断面図である。
【図３】本考案のとメモリーカードの組合せ断面図である。
【図４】本考案の図３の部分拡大図である。
【符号の説明】
１０　メモリーカード
１１　端子
２０　コネクタ
２１　カートリッジ
２２　スプリング・リーフ
２３　切欠溝
２４　連通溝
２５　接触端
２６　ハンダ接端
【図１】
0003097441.tif 000003
【図２】
0003097441.tif 000004
【図３】
0003097441.tif 000005
【図４】
0003097441.tif 000006